(57)【要約】【課題】靴の軌道に基づく客観性のある補助データを提供すること【解決手段】  シューフィッター補助装置１００は、靴２０の予め定められた部位に取付けられる複数の３次元軌道センサ１２１，１２２と、複数の３次元軌道センサ１２１，１２２から靴２０の予め定められた部位の軌道を得るように構成された第１処理部１４４ａと、靴２０の予め定められた部位の軌道に基づいて、歩行時の靴２０のつま先の背屈角度αの変化を得るように構成された第２処理部１４４ｂとを備えている。【選択図】図１
2020074908.tif 000002
【特許請求の範囲】
【請求項１】
靴の予め定められた部位に取付けられる複数の３次元軌道センサと、
前記複数の３次元軌道センサから靴の予め定められた部位の軌道を得るように構成された第１処理部と、
前記靴の予め定められた部位の軌道に基づいて、歩行時の靴のつま先の背屈角度の変化を得るように構成された第２処理部と
を備えた、シューフィッター補助装置。
【請求項２】
前記靴のつま先の背屈角度が最小になった時刻を得るように構成された第３処理部をさらに備えた、請求項１に記載されたシューフィッター補助装置。
【請求項３】
前記靴のつま先の背屈角度が最大になった時刻および前記背屈角度の最大値のうち少なくとも何れか一方を得るように構成された第４処理部をさらに備えた、請求項１または２に記載されたシューフィッター補助装置。
【請求項４】
前記靴の予め定められた部位の軌道に基づいて、歩行時の靴の背屈角速度の変化を得るように構成された第５処理部をさらに備えた、請求項１から３までの何れか一項に記載されたシューフィッター補助装置。
【請求項５】
靴の予め定められた部位に取付けられる複数の３次元軌道センサと、
前記複数の３次元軌道センサから靴の予め定められた部位の軌道を得るように構成された第１処理部と、
前記靴の予め定められた部位の軌道に基づいて、歩行時の靴の背屈角速度の変化を得るように構成された第５処理部と
を備えた、シューフィッター補助装置。
【請求項６】
前記靴の背屈角速度の変化を得るように構成された第６処理部をさらに備えた、請求項４または５に記載されたシューフィッター補助装置。
【請求項７】
複数の３次元軌道センサは、
靴のつま先部に取付けられる第１センサと、
靴の甲部に取付けられる第２センサと
を少なくとも含む、請求項１から６までの何れか一項に記載されたシューフィッター補助装置。
【発明の詳細な説明】
【技術分野】
【０００１】
本発明は、シューフィッター補助装置に関する。
【背景技術】
【０００２】
特開２００７−１４４１４７号公報には、靴・履物フィッティング支援装置に関する提案がある。ここで提案されている支援装置は、靴・履物の中敷の一部を盛り上げ、利用者の歩行運動におけるバランスのずれをなくす靴・履物の中敷のフィッティングを支援する。支援装置は、利用者の歩行運動を計測して歩行運動データを取得する歩行計測装置を備えている。支援装置は、さらに歩行計測装置によって取得された利用者の歩行運動データを基に、フィッティング対象とされる中敷とそのフィッティングポイントとその盛り上げ高さとを決定するフィッティング決定部を備えている。
【０００３】
そして、フィッティングポイントごとにその盛り上げ高さを様々調整して生成した各標本中敷を用い、歩行者が各標本中敷を靴・履物に装着して歩行し、その歩行運動を歩行計測装置により計測した各データを歩行ずれデータとして収集する。利用者の歩行運動データと歩行ずれデータとを比較してもっとも近い歩行ずれデータと当該歩行ずれデータが計測された標本中敷とを検索する。そして、フィッティング対象とする中敷を検索処理にかかる標本中敷とは左右逆の足の中敷と決定し、フィッティングポイントを検索処理にかかる標本中敷のフィッティングポイントに相当する個所をフィッティングポイントと決定し、盛り上げ高さを検索処理にかかる標本中敷の盛り上げ高さの略半分の高さと決定する、とされている。
【先行技術文献】
【特許文献】
【０００４】
【特許文献１】特開２００７−１４４１４７号公報
【発明の概要】
【発明が解決しようとする課題】
【０００５】
ところで、シューフィッターは、靴や履物、歩行時の足の挙動などについての専門的な知識や経験を有し、各人に合った靴を提案する。ここでは、本発明者の独自の知見に基づき、シューフィッターが靴を提案する上で参考となりうる情報を提供する補助装置を提案するものである。
【課題を解決するための手段】
【０００６】
ここで提案されるシューフィッター補助装置の一形態は、靴の予め定められた部位に取付けられる複数の３次元軌道センサと、複数の３次元軌道センサから靴の予め定められた部位の軌道を得るように構成された第１処理部と、靴の予め定められた部位の軌道に基づいて、歩行時の靴のつま先の背屈角度αの変化を得るように構成された第２処理部とを備えている。
また、シューフィッター補助装置の他の一形態は、靴の予め定められた部位に取付けられる複数の３次元軌道センサと、複数の３次元軌道センサから靴の予め定められた部位の軌道を得るように構成された第１処理部と、靴の予め定められた部位の軌道に基づいて、歩行時の靴の背屈角速度の変化を得るように構成された第５処理部とを備えている。
【発明の効果】
【０００７】
かかるシューフィッター補助装置によれば、シューフィッターが靴を提案する上で参考となりうる靴の軌道に基づく客観性のある補助データが提供されうる。
【図面の簡単な説明】
【０００８】
【図１】図１は、ここで提案されるシューフィッター補助装置１００を模式的に示すブロック図である。
【図２】図２は、靴２０に３次元軌道センサ１２１，１２２が取付けられた状態が例示された靴の側面図である。
【図３】図３は、歩行時に靴２０が地面を蹴り出すときの姿勢を示す側面図である。
【図４】図４は、健常者の典型的な歩行時の足の動きを示す説明図である。
【図５】図５は、歩行時の靴２０のつま先部２１の背屈角度αの変化を示すグラフｘ１〜ｘ４が表示されたグラフである。
【図６】図６は、異なる靴で得られた、歩行時の靴２０の背屈角速度の変化を示すグラフである。
【発明を実施するための形態】
【０００９】
以下、図面を参照しながら、本発明の一実施形態に係るシューフィッター補助装置を説明する。なお、ここで説明される実施形態は、当然ながら本発明を限定することを意図したものではない。
【００１０】
図１は、ここで提案されるシューフィッター補助装置１００を模式的に示すブロック図である。
シューフィッター補助装置１００は、図１に示されているように、図１に示されているように、複数の３次元軌道センサ１２１，１２２と、処理装置１４０と、表示装置１６０とを備えている。処理装置１４０は、記憶部１４２と、処理部１４４とを備えている。処理部１４４は、第１処理部１４４ａ〜第６処理部１４４ｆの各処理部を備えている。また、図示は省略するが、シューフィッター補助装置１００は、所要のユーザーインターフェースを備えているとよい。
【００１１】
ここで、処理装置１４０は、予め定められたプログラムに沿って駆動するコンピュータによって具現化されうる。具体的には、処理装置１４０の各機能は、処理装置１４０を構成する各コンピュータの演算装置（プロセッサ、ＣＰＵ（Central Processing Unit）、ＭＰＵ（Micro-Processing Unit）とも称される）や記憶装置（メモリーやハードディスクなど）によって処理される。処理装置１４０の各機能をコンピュータに実行させるためのプログラムは、非一時的なコンピュータ可読媒体に格納されているとよい。
【００１２】
例えば、処理装置１４０の各構成は、コンピュータによって具現化されるデータを予め定められた形式で記憶するデータベース、データ構造、予め定められたプログラムに従って所定の演算処理を行う処理モジュールなどとして、または、それらの一部として、いわゆるソフトウェアとハードウェアの協働による処理にて具現化されうる。
【００１３】
３次元軌道センサ１２１，１２２は、靴の予め定められた部位に取付けられるセンサである。センサ１２１，１２２は、いわゆる慣性センサでありうる。ここで、慣性センサで得られる計測情報は、加速度や角速度である。いわゆるジャイロセンサとしての機能と、加速度センサとしての機能を有する。ジャイロセンサとしての機能と、加速度センサとしての機能とが組み込まれた慣性センサは、いわゆるＭＥＭＳ（Micro Electro Mechanical Systems）の技術で小型化されており、軽量であり、靴に違和感なく取付けられるように構成されうる。３次元軌道センサ１２１，１２２には、ＧＰＳ（Global Positioning System）がさらに実装されていてもよい。この場合、ＧＰＳによって取得される位置情報によって、３次元軌道センサ１２１，１２２の位置が記録されうる。また、３次元軌道センサ１２１，１２２は、測定された加速度や角速度など取得されるデータを記憶しうる記憶装置（例えば、ＳＤカード（SD Memory Card））を備えているとよい。３次元軌道センサ１２１，１２２と処理装置１４０とは、例えば、ワイヤレスのデータ送受信方法によってデータ通信可能に接続されているとよい。
【００１４】
ここで、３次元軌道センサ１２１，１２２は、靴の予め定められた部位に取付けられるように構成されているとよい。３次元軌道センサ１２１，１２２が靴の予め定められた位置に取付けられることによって、処理装置１４０において靴の予め定められた位置において加速度や角速度が記録される。３次元軌道センサ１２１，１２２は、靴に予め定められた、少なくとも２箇所に取り付けられるとよい。図２は、靴２０に３次元軌道センサ１２１，１２２が取付けられた状態が例示された靴の側面図である。図２では、靴２０の裏側を下に向けて靴２０が地面に設置した状態が示されている。３次元軌道センサ１２１，１２２が取付けられる位置は、例えば、図２に示されているように、靴２０のつま先部２１や甲部２２であるとよい。
【００１５】
この実施形態では、３次元軌道センサ１２１が靴２０のつま先部２１に取付けられており、３次元軌道センサ１２２が、靴２０の甲部２２に取付けられている。
なお、ここでは、靴２０のつま先部２１と甲部２２に取付けられる３次元軌道センサ１２１，１２２を備えた構成を例示するが、３次元軌道センサ１２１，１２２が靴に取付けられる位置は、つま先部２１と甲部２２に限定されない。
【００１６】
例えば、靴２０のつま先部２１と甲部２２に３次元軌道センサ１２１，１２２が取付けられることによって、歩行時における靴２０のつま先部２１と甲部２２の加速度や角速度が得られる。３次元軌道センサ１２１，１２２によって得られる歩行時における靴２０のつま先部２１と甲部２２の加速度や角速度は、測定された時間の情報と紐付けられて記憶部１４２に随時記録される。また、この実施形態では、３次元軌道センサ１２１，１２２には、ＧＰＳが実装されており、被験者の位置（具体的には靴に取付けられた３次元軌道センサ１２１，１２２の位置）の情報も、測定された時間の情報と紐付けられて記憶される。
【００１７】
処理装置１４０は、３次元軌道センサ１２１，１２２によって得られた加速度や角速度に基づいて、靴２０の所定部位の軌道や歩行時の靴２０のつま先部２１の背屈角度の変化や歩行時の靴２０の背屈角速度の変化などが予め定められた演算によって得られるように構成されているとよい。
【００１８】
この実施形態では、処理装置１４０の各処理部１４４ａ〜１４４ｆは、３次元軌道センサ１２１，１２２から取得される計測データに基づいて所定の処理を行うように構成されている。
【００１９】
第１処理部１４４ａは、複数の３次元軌道センサ１２１，１２２から靴２０の予め定められた部位の軌道を得るように構成されている。この実施形態では、靴２０に取付けられた複数の３次元軌道センサ１２１，１２２によって得られる加速度や角速度に基づいて靴２０の予め定められた部位の軌道が計算されるように構成されているとよい。
靴２０の予め定められた部位の軌道として、例えば、３次元軌道センサ１２１，１２２で得られるＸＹＺ軸の加速度を積分することによって、三次元空間上の軌道が演算されうる。また、同様の手法で、一歩毎の靴２０の歩幅や歩行速度、靴２０のつま先部２１の高さや角度などが算出されうる。
【００２０】
第２処理部１４４ｂは、靴２０の予め定められた部位の軌道に基づいて、歩行時の靴２０のつま先部２１の背屈角度の変化を得るように構成されている。ここで、３次元軌道センサ１２１，１２２の軸方向１２１Ｇ，１２２Ｇの角度は、重力軸Ｇ１を基準に規定される。例えば、３次元軌道センサ１２１，１２２の軸方向１２１Ｇ，１２２Ｇの変化が観測されて、絶対的な基準の方向として重力軸Ｇ１が取られる。次に、重力軸Ｇ１を基準に３軸（直交３軸の方向）が定義される。次に、靴の動きに追従して変化する３次元軌道センサ１２１，１２２の軸方向１２１Ｇ，１２２Ｇが、どのように変化するかが観測される。これにより、靴の軌道や靴の背屈角度や角速度が測定されている。ここで、「歩行時の靴のつま先の背屈角度」は、例えば、図２に示されているように、立脚状態（換言すると、直立したときに靴２０の裏が全設置した状態と同程度の状態）での靴２０の姿勢を基準にした、歩行時のつま先の傾きとして規定されうる。靴２０の基準の姿勢としては、例えば、靴２０のインソールに沿った基準面２０ａが割り出されるとよい。そして、歩行時のつま先の傾きとして、歩行時の靴２０の基準面２０ｂが割り出され、立脚状態における靴２０の基準面２０ａに対する歩行時の靴２０の基準面２０ｂの角度αが算出されるように構成されているとよい。この実施形態では、かかる角度αを靴２０のつま先部２１の背屈角度とする。ここで、角度αは、立脚状態を「０度」とし、立脚状態における基準面２０ａを基準に靴２０のつま先部２１が下を向くときを「マイナス（−）」、つま先部２１が上を向くときを「プラス（＋）」とする。
【００２１】
なお、ここでは、「靴２０のつま先部２１の背屈角度」を得る算出方法の一例を示しているが、「靴２０のつま先部２１の背屈角度」を得る算出方法はこれに限定されない。例えば、第２処理部１４４ｂは、靴２０のつま先部２１に取付けられた３次元軌道センサ１２１から靴２０の軌道を得て、靴２０のつま先部２１の背屈角度αが得られるように構成してもよい。
【００２２】
図３は、歩行時に靴２０が地面を蹴り出すときの姿勢を示す側面図である。図３に示されているように、歩行時に靴２０が地面を蹴り出すときには、靴２０のつま先部２１の背屈角度αは、マイナス（−）となる。
【００２３】
図４は、健常者の典型的な歩行時の足の動きを示す説明図である。図４には、着地（４ａ）、立脚状態（４ｂ）、蹴り出し（４ｃ）、靴２０が地面から浮いている遊脚状態（４ｄ、４ｅ）を経て、着地（４ｆ）へと至る健常者の典型的な歩行時の足の動き（「歩行サイクル」とも称される）が順に示されている。各状態において、歩行時の靴２０の基準面２０ｂが１点鎖線で示されている。この場合、図４に示されているように、歩行時の靴２０のつま先の背屈角度αは、着地（４ａ、４ｆ）ではプラス（＋）、立脚状態（４ｂ）では（±０）、蹴り出し（４ｃ）ではマイナス（−）、靴２０が地面から浮いている遊脚状態（４ｄ、４ｅ）では、蹴り出し（４ｃ）から着地（４ｆ）へ向けてマイナス（−）からプラス（＋）に転じていく。また、本発明者の知見では、図４に示されているように、歩行サイクルでは、着地（４ａ、４ｆ）においてつま先の背屈角度αが最大になる。歩行サイクルにおけるつま先の背屈角度αが最大になるタイミングで、着地（４ａ）および着地（４ｆ）の時点が割り出されるように設定されていてもよい。また、着地（４ａ）から着地（４ｆ）のタイミングで、一歩に要する時間や歩幅ｄ１を測定してもよい。
【００２４】
この実施形態では、処理装置１４０の第２処理部１４４ｂは、歩行時の靴２０のつま先部２１の背屈角度αの変化を示すグラフを作成するように構成されている。第２処理部１４４ｂは、異なる靴で得られた、歩行時の靴２０のつま先部２１の背屈角度αの変化を示す複数のグラフが重ねて表示されるように構成されていてもよい。
図５は、歩行時の靴２０のつま先部２１の背屈角度αの変化を示すグラフｘ１〜ｘ４が表示されたグラフである。図５では、異なる靴で得られた、歩行時の靴２０のつま先部２１の背屈角度αの変化を示す複数のグラフｘ１〜ｘ４が歩行サイクルのタイミングを合わせて重ねて表示されている。
【００２５】
図５では、着地（５ａ）から立脚（５ｂ）、蹴り出し（５ｃ）、遊脚（５ｄ）、着地（５ａ）に至る歩行サイクルに沿ったグラフが描かれている。
ここで、グラフｘ１は、被験者の足にぴったりサイズの合った靴２０で歩行したときに得られるグラフであり、グラフｘ２〜ｘ４は、被験者の足に対してサイズの大きい靴２０で歩行したときに得られるグラフである。図５に示されているように、特に、蹴り出し（５ｃ）から遊脚（５ｄ）へ至るタイミングで、つま先部２１の背屈角度αがマイナス側で最大となる傾向がある。つまり、つま先部２１の背屈角度αが最小になる。また、上述したように着地（５ａ）のタイミングで、つま先部２１の背屈角度αが最大になる。
【００２６】
また、図５に示されているように、本発明者の知見では、歩行時の１サイクル中において、被験者の足に対して大きいサイズの靴２０で歩行したときには、靴２０のつま先部２１の背屈角度αが最小になった時刻が表れるタイミングが被験者の足にぴったりサイズの合った靴２０で歩行したときよりも遅れる傾向がある。
大きい靴では、甲周りに隙間がある。このため、特に、足を蹴り出し、かかとが地面を離れるときに、足の動きに対して靴２０が少し遅れる。このため、靴２０のつま先部２１の背屈角度αが最小になった時刻が表れるタイミングが遅れる傾向が現れると、本発明者は考えている。
【００２７】
この実施形態では、第３処理部１４４ｃは、靴２０のつま先部２１の背屈角度αが最小になった時刻を得るように構成されている。これにより、靴２０のつま先部２１の背屈角度αが最小になった時刻が、処理装置１４０の出力として得られる。背屈角度が最小となった時刻がシューフィッターや被験者に提供される。また、この実施形態では、第３処理部１４４ｃは、歩行時の１サイクル中において、靴２０のつま先部２１の背屈角度αが最小になった時刻が表れるタイミングを算出するように構成されている。歩行サイクルにおいて、背屈角度αが最小となった時刻が表れるタイミングが、シューフィッターや被験者に提供される。これにより、異なるサイズの靴を履いたときに、どのサイズの靴があっているかをより適切に評価できるようになる。ここで、歩行サイクルにおいて、背屈角度αが最小となった時刻が表れるタイミングは、例えば、図５のように着地から着地までの歩行サイクルの１サイクルに要する時間を１００としたときに、背屈角度αが最小となった時刻が表れる時刻が、歩行サイクルのスタートから何パーセントの位置にあるかで評価されうる。この方法によれば、背屈角度αが最小となった時刻が表れるタイミングが定量的に評価できる。
【００２８】
第４処理部１４４ｄは、靴のつま先の背屈角度αが最大になった時刻および背屈角度αの最大値のうち何れか一方を得るように構成されている。第４処理部１４４ｄは、例えば、靴のつま先の背屈角度αが最大になった時刻を得るように構成されているとよい。この場合、この第４処理部１４４ｄによって、背屈角度αが最大となった時刻がシューフィッターや被験者に提供される。また、この実施形態では、第４処理部１４４ｄは、歩行時の１サイクル中において、靴２０のつま先部２１の背屈角度αが最大になった時刻が表れるタイミングを算出するように構成されていてもよい。背屈角度αが最大となった時刻が表れるタイミングをより適切に評価できる。ここで、背屈角度αが最大となった時刻が表れるタイミングは、例えば、歩行サイクルのスタートから何パーセントの位置にあるかで評価されうる。この方法によれば、背屈角度αが最大となった時刻が表れるタイミングが定量的に評価できる。また、第４処理部１４４ｄは、例えば、靴のつま先の背屈角度αの最大値を得るように構成されていてもよい。背屈角度αの最大値は、図５に示されているように、被験者の足に靴２０が合っているか否かに応じて差が生じやすい。第４処理部１４４ｄは、靴のつま先の背屈角度αが最大になった時刻に合せて、あるいは、靴のつま先の背屈角度αが最大になった時刻に代えて背屈角度αの最大値を得るように構成されていてもよい。
【００２９】
第５処理部１４４ｅは、靴２０の予め定められた部位の軌道に基づいて、歩行時の靴２０の背屈角速度の変化を得るように構成されている。
ここで、靴２０の背屈角速度は、上述のように、靴２０の軌道から背屈角度αについて角速度を得てもよい。靴２０の背屈角速度は、直立時の無動作時を０とする。背屈角速度は軌道背屈角度αの時間変化率を指標にしている。このため、靴２０の背屈角速度は、靴２０のつま先部２１の背屈角度αと概ね連動する。
この場合、甲部２２に取付けられた３次元軌道センサ１２２から角速度を得てもよい。また、上述のように、３次元軌道センサ１２１，１２２で測定された加速度と角速度のデータから靴２０の基準面２０ａ（図１参照）を得て、当該基準面２０ａの角速度の変化を得てもよい。かかる第５処理部１４４ｅの処理によって、１回の歩行サイクルにおける靴の背屈角速度の変化がシューフィッターや被験者に提供される。
【００３０】
第５処理部１４４ｅは、歩行時の靴２０の背屈角速度の変化を示すグラフを作成するように構成されていてもよい。第５処理部１４４ｅは、異なる靴で得られた、歩行時の靴の背屈角速度の変化を示す複数のグラフを重ねて表示するように構成されていてもよい。
図６は、異なる靴で得られた、歩行時の靴２０の背屈角速度の変化を示すグラフである。図６では、異なる靴で得られた、歩行時の靴の背屈角速度の変化を示す複数のグラフｙ１，ｙ２が歩行サイクルのタイミングを合わせて重ねて表示されている。背屈角速度による評価によって、靴と足との連携度合が測られる。図６においてＡ１で示された部分は、背屈角速度の変化が大きい領域を示している。フィットした靴で典型的に得られるグラフｙ１では背屈加速度が緩やかに変化している。フィットしていない靴で典型的にグラフｙ２では、背屈加速度が急激に変化している。このように、背屈角速度の変化が大きい領域Ａ１は、例えば、歩行サイクル中の蹴り出し動作のところで生じうる。フィットしない靴では靴と、靴の中の足の動きとの連動が悪く、ある時刻から急激に加速度が変化する傾向があるものと本発明者は推考している。
【００３１】
第６処理部１４４ｆは、靴２０の背屈角速度の変化を得るように構成されている。第６処理部１４４ｆは、例えば、歩行時の１サイクル中において、靴２０の背屈角速度が最大となった時刻が表れるタイミングが算出されるように構成されていてもよい。この場合、靴２０の背屈角速度が最大になった時刻が得られる。
このように歩行サイクルにおける靴２０の背屈角速度および靴２０の背屈角速度の変化がシューフィッターや被験者に提供される。ここで、靴２０の背屈角速度の変化は、図６のように歩行サイクルの１サイクルにおいて、背屈角速度αの変化が緩やかであるか急激であるかによって評価されうる。このため、背屈角速度αの変化の度合い、例えば、図６で示されるような背屈角速度αのグラフの傾きに、閾値を設定することになどによって評価されうる。
背屈角速度αのグラフの傾きが大きくなったタイミングなどは、歩行サイクルの１サイクルに要する時間を１００としたときに、背屈角速度αのグラフの傾きが、予め定められた閾値よりも大きくなった時刻が、歩行サイクルのスタートから何パーセントから何パーセントの領域にあるか、などによって評価されうる。この方法によれば、背屈角速度の変化が大きい領域が表れるタイミングが定量的に評価できる。
【００３２】
このように、複数の３次元軌道センサ１２１，１２２は、靴のつま先部に取付けられる第１センサ１２１と、靴の甲部に取付けられる第２センサ１２２とを少なくとも含むとよい。このような３次元軌道センサ１２１，１２２の配置によって、シューフィッターや被験者に提供される所要のデータ、例えば、背屈角度αや背屈角速度が、精度良く得られる。なお、靴２０には、さらに多くの３次元軌道センサ１２１，１２２が取り付けられてもよい。
【００３３】
ここで提案されるシューフィッター補助装置１００によれば、靴２０のつま先の背屈角度αや靴２０の背屈角速度の歩行サイクル中の変化について、計測されたグラフや、靴２０のつま先の背屈角度αや靴２０の背屈角速度の最大値や最小値、歩行サイクル中において最大値や最小値が計測されるタイミングが定量的に評価される。
ここで得られたグラフや計測データは、適宜に表示装置１６０に表示されるように構成されているとよい。
【００３４】
このシューフィッター補助装置１００は、被験者にサイズ違いの靴など、異なる靴などを履いてもらい背屈角度αや背屈角速度についてのデータを得ると良い。また、同じ靴でも、靴にパットを入れた時や中敷きを変更した状態でも、「異なる靴」として扱って比較評価しうる。つまり、ここでは、同じく靴も「異なる靴」として扱いうる。
かかるシューフィッター補助装置１００によって、サイズ違いの靴や、靴にパットを入れた時や中敷きを変更したときに測定されたデータやグラフが異なる靴のデータとして比較されうる。そして、サイズ違いの靴や異なる靴、パットを入れた時や中敷きを変更した時の効果について、客観性のあるデータが提供されうる。
【００３５】
シューフィッター補助装置１００が利用されることによって、シューフィッターにとっては、提案する靴についての評価に客観性を持たせて顧客に提案できる。シューフィッター補助装置１００によって顧客の感覚と、シューフィッター補助装置１００によって機械的に得られるデータを比較することによって、顧客により適当な靴を提案できるようになる。また、被験者としての顧客にとっては、シューフィッターに提案された靴が合っているか否かについて、客観的な評価が得られ、より適切な靴を選びやすくなる。
【００３６】
以上の通りに、ここで提案されるシューフィッター補助装置の一実施形態を種々説明したが、ここで提案されるシューフィッター補助装置は、上述した実施形態に限定されない。また、ここで提案されるシューフィッター補助装置は、種々変更でき、特段の問題が生じない限りにおいて、各構成要素やここで言及された各処理は適宜に省略され、または、適宜に組み合わされうる。
【００３７】
例えば、上述したシューフィッター補助装置１００は、歩行時の靴のつま先の背屈角度αの変化と靴の背屈角速度の変化との両方を提供する。ここで提案されるシューフィッター補助装置は、歩行時の靴のつま先の背屈角度αの変化のみを提供するものでもよいし、靴の背屈角速度の変化のみを提供するものでもよい。
【符号の説明】
【００３８】
２０  靴
２０ａ  立脚状態における靴２０の基準面
２０ｂ  歩行時の靴２０の基準面
２１  つま先部
２２  甲部
１００  シューフィッター補助装置
１２１，１２２  ３次元軌道センサ
１４０  処理装置
１４２  記憶部
１４４  処理部
１４４ａ  第１処理部
１４４ｂ  第２処理部
１４４ｃ  第３処理部
１４４ｄ  第４処理部
１４４ｅ  第５処理部
１４４ｆ  第６処理部
１６０  表示装置
ｄ１  歩幅
α  背屈角度
【図１】
2020074908.tif 000003
【図２】
2020074908.tif 000004
【図３】
2020074908.tif 000005
【図４】
2020074908.tif 000006
【図５】
2020074908.tif 000007
【図６】
2020074908.tif 000008